【手続補正書】
【提出日】平成25年10月25日(2013.10.25)
【手続補正１】
【補正対象書類名】特許請求の範囲
【補正対象項目名】全文
【補正方法】変更
【補正の内容】
【特許請求の範囲】
【請求項１】
トルクインパルスをエレベータの巻上げ機で生成し、把持され固着したエレベータかごおよび/または把持され固着した釣合い重りを解除することを特徴とするエレベータシステムに関連する方法。
【請求項２】
請求項１に記載の方法において、該方法は、トルクインパルスを前記エレベータの巻上げ機で生成し、該トルクインパルスは、前記エレベータかごおよび/または釣合い重りに対して把持の伝播方向とは反対の方向に作用させることを特徴とする方法。
【請求項３】
請求項１または２に記載の方法において、該方法は、
安全装置の作動を観測し、
前記エレベータかごおよび/または釣合い重りの把持を前記安全装置の作動に基づいて推定することを特徴とする方法。
【請求項４】
請求項１、２または３に記載の方法において、該方法は、前記エレベータかごおよび/または釣合い重りの把持に関する情報をサービスセンタへ送信することを特徴とする方法。
【請求項５】
請求項１ないし４のいずれかに記載の方法において、該方法は、実質的にパルス様の電流を前記エレベータの巻上げ機へ供給することによってトルクインパルスを該エレベータの巻上げ機で生成することを特徴とする方法。
【請求項６】
請求項１ないし５のいずれかに記載の方法において、該方法は、把持され固着したエレベータかごおよび/または把持され固着した釣合い重りの解除機能をサービスセンタから駆動することを特徴とする方法。
【請求項７】
請求項１ないし６のいずれかに記載の方法において、該方法は、把持され固着したエレベータかごおよび/または把持され固着した釣合い重りの解除機能をエレベータ制御ユニットのユーザインタフェースにより駆動することを特徴とする方法。
【請求項８】
請求項１ないし７のいずれかに記載の方法において、該方法は、連続するトルクインパルスを前記エレベータシステムの機械振動の共振周波数と実質的に対応する周波数で生成することを特徴とする方法。
【請求項９】
請求項１ないし８のいずれかに記載の方法において、該方法は、
前記トルクインパルスにより生じる巻上げ機および/またはエレベータかごの動きを測定し、
該巻上げ機および/またはエレベータかごの動きの大きさが増大して最終限度を超えると、前記把持され固着したエレベータかごおよび/または把持され固着した釣合い重りの解除機能を終了することを特徴とする方法。
【請求項１０】
請求項１ないし９のいずれかに記載の方法において、該方法は、
トルクインパルスにより生じる前記巻上げ機の動きを測定し、
該巻上げ機の速度が減速して遮断限界を下回ると、個々のトルクインパルスを遮断することを特徴とする方法。
【請求項１１】
エレベータかごと、
該エレベータかごをエレベータ昇降路内で移動させる巻上げ機と、
該エレベータかごの動きを停止させる安全装置と、
前記巻上げ機へ接続され、該巻上げ機でトルクを生成する給電装置とを含むエレベータシステムにおいて、
該エレベータシステムは制御器を含み、該制御器は給電装置に関連して配設され、
該制御器は、前記エレベータの巻上げ機でトルクインパルスを生成し、把持され固着したエレベータかごを解除するように配設されていることを特徴とするエレベータシステム。
【請求項１２】
釣合い重りと、
該釣合い重りをエレベータ昇降路において移動させる巻上げ機と、
前記釣合い重りの動きを停止させる安全装置と、
前記巻上げ機へ接続され、該巻上げ機でトルクを生成する給電装置とを含むエレベータシステムにおいて、
該エレベータシステムは制御器を含み、該制御器は、給電装置に関連して配設され、該制御器は、前記エレベータの巻上げ機でトルクインパルスを生成し、把持され固着した釣合い重りを解除するように配設されていることを特徴とするエレベータシステム。
【請求項１３】
請求項11または12に記載のエレベータシステムにおいて、前記制御器は、前記エレベータの巻上げ機でトルクインパルスを生成し、該トルクインパルスは、前記エレベータかごおよび/または釣合い重りに把持の伝播方向とは反対の方向に作用するよう配設されていることを特徴とするエレベータシステム。
【請求項１４】
請求項11ないし13のいずれかに記載のエレベータシステムにおいて、該エレベータシステムは、前記エレベータかごおよび/または釣合い重りを前記エレベータ昇降路内に懸装するロープもしくはベルトを含むことを特徴とするエレベータシステム。
【請求項１５】
請求項11ないし14のいずれかに記載のエレベータシステムにおいて、前記制御器は駆動信号用の入力を含み、
前記制御器は、前記駆動信号を受信した後、把持され固着したエレベータかごおよび/または把持され固着した釣合い重りの解除機能を駆動するように配設されていることを特徴とするエレベータシステム。
【請求項１６】
請求項11ないし16のいずれかに記載のエレベータシステムにおいて、該エレベータシステムはエレベータ制御ユニットを含み、
該エレベータ制御ユニットと前記制御器との間にデータ転送チャネルが形成され、駆動信号を該エレベータ制御ユニットから該制御器へ送信することを特徴とするエレベータシステム。
【請求項１７】
請求項16に記載のエレベータシステムにおいて、前記エレベータ制御ユニットはユーザインタフェースを含み、
把持され固着したエレベータかごおよび/または把持され固着した釣合い重りの解除機能は、前記ユーザインタフェースから得られた駆動指示の結果として駆動されるように配設されていることを特徴とするエレベータシステム。
【請求項１８】
請求項16または17に記載のエレベータシステムにおいて、前記エレベータ制御ユニットはデータ転送線によってサービスセンタへ接続され、
把持され固着したエレベータかごおよび/または把持され固着した釣合い重りの解除機能は、前記ユーザインタフェースから得られた駆動指示の結果として駆動されるように配設されていることを特徴とするエレベータシステム。
【請求項１９】
請求項11ないし18のいずれかに記載のエレベータシステムにおいて、該エレベータシステムは前記安全装置の作動状態を判定するセンサを含み、
前記エレベータ制御ユニットは、該安全装置の作動状態を判定する前記センサの測定信号用の入力を含むことを特徴とするエレベータシステム。
【請求項２０】
請求項11ないし19のいずれかに記載のエレベータシステムにおいて、前記制御器は、該エレベータシステムの機械振動の共振周波数に実質的に対応する周波数の連続トルクインパルスを前記エレベータの巻上げ機で生成するように配設されていることを特徴とするエレベータシステム。
【請求項２１】
請求項11ないし20のいずれかに記載のエレベータシステムにおいて、前記巻上げ機は、前記エレベータかごを動かすトルクを生成する永久磁石同期モータを含むことを特徴とするエレベータシステム。
【手続補正２】
【補正対象書類名】明細書
【補正対象項目名】００３６
【補正方法】変更
【補正の内容】
【００３６】
エレベータかご３の解除機能は、例えばサービスセンタ17から駆動信号を、サービスセンタとエレベータシステムのエレベータ制御ユニット８との間の無線リンクを介して送信することによって、開始することができる。エレベータかご３の解除機能は、例えばエレベータ制御ユニット８の操作パネル９から駆動信号を、エレベータ制御ユニット８と周波数変換器２との間のシリアル通信バス16を介して送信することによっても、開始できるであろう。例えば、保守員用のいわゆるMAP（保守アクセスパネル）ユーザインタフェースを操作パネル９として使用することもできる。操作パネル９は、例えばエレベータの停止階もしくは機械室内に設置することができ、その場合、エレベータかごの解除操作はエレベータ昇降路12の外部から開始することができる。解除機能は、例えば先ず駆動パラメータをMAPユーザインタフェースから周波数変換器のインバータ制御回路13へシリアル通信バス16を介して送信することによって、駆動することができ、その後、解除機能を緊急駆動スイッチ(RDFスイッチ)によってMAPユーザインタフェースから開始する。この場合、緊急駆動スイッチによって緊急上昇駆動を選択すると、エレベータの巻上げ機１はトルクインパルス10A、10B、10Cを生成し始め、これらがエレベータかごを上方へ引張ろうとする。同様に、緊急下降駆動を選択すると、トルクインパルスはエレベータかごに対して下方へ働く。